(57)【要約】      （修正有）【課題】印刷された用紙の、綴じ処理の失敗を防止可能な画像形成装置を提供する。【解決手段】複数種類の用紙に、画像を印刷可能な印刷部と、指定された種類の用紙を印刷部に給送する給送手段と、印刷部によって画像が印刷された用紙束に対する綴じ処理が指定され、且つ、指定された種類の用紙が綴じ処理によって綴じることのできない用紙である場合に、当該指定された種類の用紙の代わりに、綴じ処理によって綴じることのできる種類の用紙を、給送するように給送手段を制御するＰＤＬ処理部とを備える。【選択図】図１１
2016029461.tif 000002
【特許請求の範囲】
【請求項１】
複数種類の用紙に画像を印刷可能な印刷手段と、
指定された種類の用紙を前記印刷手段に給送する給送手段と、
前記印刷手段によって画像が印刷された用紙束に対する綴じ処理が指定され、且つ、前記指定された種類の用紙が前記綴じ処理によって綴じることのできない用紙である場合に、当該指定された種類の用紙の代わりに前記綴じ処理によって綴じることのできる用紙を給送するように前記給送手段を制御する制御手段とを備えることを特徴とする画像形成装置。
【請求項２】
前記綴じ処理は、針を用いずに用紙束を綴じる針無し綴じ処理である請求項１記載の画像形成装置。
【請求項３】
前記綴じ処理によって綴じることのできる用紙の種類を示す情報を記憶する記憶手段と、
前記記憶手段に記憶された情報に基づき、前記指定された種類の用紙が前記綴じ処理によって綴じることのできる用紙であるか否かを判定する判定手段とを更に備えることを特徴とする請求項１又は２記載の画像形成装置。
【請求項４】
前記制御手段は、前記印刷手段によって画像が印刷された用紙束に対する綴じ処理が指定され、且つ、特定のページに対して前記綴じ処理によって綴じることのできない用紙の種類が指定されている場合に、当該特定のページの印刷に使用する用紙として、前記綴じ処理によって綴じることのできる複数種類の用紙のうち、先頭ページの印刷に使用される用紙と同じ種類の用紙を給送するように前記給送手段を制御することを特徴とする請求項１乃至３のいずれか１項に記載の画像形成装置。
【請求項５】
前記制御手段は、前記印刷手段によって画像が印刷された用紙束に対する綴じ処理が指定され、且つ、特定のページに対して前記綴じ処理によって綴じることのできない用紙の種類が指定されている場合に、当該特定のページの印刷に使用する用紙として、前記綴じ処理によって綴じることのできる複数種類の用紙のうち、当該特定のページの１つ前のページの印刷に使用される用紙と同じ種類の用紙を給送するように前記給送手段を制御することを特徴とする請求項１乃至３のいずれか１項に記載の画像形成装置。
【請求項６】
前記制御手段は、前記印刷手段によって画像が印刷された用紙束に対する綴じ処理が指定され、且つ、特定のページに対して前記綴じ処理によって綴じることのできない用紙の種類が指定されている場合に、当該特定のページの印刷に使用する用紙として、前記綴じ処理によって綴じることのできる複数種類の用紙のうち、当該特定のページの１つ後のページの印刷に使用される用紙と同じ種類の用紙を給送するように前記給送手段を制御することを特徴とする請求項１乃至３のいずれか１項に記載の画像形成装置。
【請求項７】
第１のモードまたは第２のモードを設定する設定手段を更に備え、
前記制御手段は、
前記第１のモードが設定されていると、前記印刷手段によって画像が印刷された用紙束に対する綴じ処理が指定され、且つ、前記指定された種類の用紙が前記綴じ処理によって綴じることのできない用紙である場合に、当該指定された種類の用紙の代わりに前記綴じ処理によって綴じることのできる種類の用紙を給送するように前記給送手段を制御し、
前記第２のモードが設定されていると、前記印刷手段によって画像が印刷された用紙束に対する綴じ処理が指定され、且つ、前記指定された種類の用紙が前記綴じ処理によって綴じることのできない用紙である場合であっても、当該指定された種類の用紙を給送するように前記給送手段を制御することを特徴とする請求項１乃至３のいずれか１項に記載の画像形成装置。
【請求項８】
前記指定された種類の用紙が前記綴じ処理によって綴じることのできない用紙であるか否かを判定する判定手段と、
前記判定手段によって前記指定された種類の用紙が前記綴じ処理によって綴じることのできない用紙であると判定された後に、ユーザに対して種類の置換を行うか否かを問い合わせる問い合せ手段とを更に備え、
前記制御手段は、前記問い合せの結果に基づき、前記指定された種類の用紙の代わりに前記綴じ処理によって綴じることのできる用紙を給送するように前記給送手段を制御することを特徴とする請求項１記載の画像形成装置。
【請求項９】
複数種類の用紙に画像を印刷可能な印刷手段を備える画像形成装置の制御方法において、
指定された種類の用紙を前記印刷手段に給送する給送工程を有し、
前記印刷手段によって画像が印刷された用紙束に対する綴じ処理が指定され、且つ、前記指定された種類の用紙が前記綴じ処理によって綴じることのできない用紙である場合に、当該指定された種類の用紙の代わりに前記綴じ処理によって綴じることのできる用紙を給送するように前記給送工程において前記給送を制御することを特徴とする制御方法。
【請求項１０】
請求項９に記載の制御方法を画像処理装置に実行させるためのコンピュータに読み取り可能なプログラム。
【発明の詳細な説明】
【技術分野】
【０００１】
本発明は、画像形成装置およびその制御方法、並びにプログラムに関し、特に、画像が印刷された用紙の束を針を使わずに綴じる機能を備える画像形成装置または当該機能を有する用紙処理装置に接続された画像形成装置の制御技術に関する。
【背景技術】
【０００２】
コピー機能やプリンタ機能をもつ画像形成装置には、当該画像形成装置で印刷された用紙の束を後処理する用紙処理装置がされているケースがある。用紙処理装置は、例えば、金属針を使用して用紙束を綴じるステイプラを有する。
【０００３】
近年、環境や安全への配慮から針を使用するステイプル処理の代替方法として、針を使用しない綴じ方法（以下、「針無し綴じ」と呼ぶ）が採用されている。例えば、綴じる印刷物の隣接する２箇所を舌状片に切り取り、舌状片を一方の抜き穴に挿入して綴じる方法（例えば、特許文献１参照）や、特殊な刃を印刷用紙束に押しつけて印刷紙束をかしめることで綴じる方法などが実用化されている。
【先行技術文献】
【特許文献】
【０００４】
【特許文献１】特開平８−３００８４７号公報
【発明の概要】
【発明が解決しようとする課題】
【０００５】
しかしながら、金属針を使用せずに用紙束を綴じる方法では、金属針を使用するステイプル処理に対して、綴じる力が弱いために用紙束を一度に綴じることができる最大枚数が少ない。このため、特開平２０１４−８６４２号公報では、ステイプル処理と針無し綴じの両者の特徴を考慮し、用紙の厚みや紙種等に応じて、どちらの綴じ方法を行うかを選択する構成が提案されている。
【０００６】
また、特殊な刃を用紙束の表面に押しつけて用紙束をかしめる綴じ方法では、用紙の枚数が少ない場合でも、その用紙表面の性質によっては綴じ処理が失敗するおそれがある。
【０００７】
そこで、本願発明は、印刷された用紙の綴じ処理の失敗を防止可能な画像形成装置およびその制御方法、並びにプログラムを提供することを目的とする。
【課題を解決するための手段】
【０００８】
上記目的を達成するために、本願発明の画像形成装置は、複数種類の用紙に画像を印刷可能な印刷手段と、指定された種類の用紙を前記印刷手段に給送する給送手段と、前記印刷手段によって画像が印刷された用紙束に対する綴じ処理が指定され、且つ、前記指定された種類の用紙が前記綴じ処理によって綴じることのできない用紙である場合に、当該指定された種類の用紙の代わりに前記綴じ処理によって綴じることのできる用紙を給送するように前記給送手段を制御する制御手段とを備えることを特徴とする。
【発明の効果】
【０００９】
本発明によれば、綴じ処理の失敗を防止することができる。
【図面の簡単な説明】
【００１０】
【図１】本発明の第１の実施形態に係る画像形成装置のハードウェア構成のブロック図である。
【図２】図１の画像形成装置のソフトウェア構成のブロック図である。
【図３Ａ】針無し綴じによる用紙束の綴じ方法の一例を示す図であって、用紙束を綴じる前の上金型と下金型の状態の断面図である。
【図３Ｂ】針無し綴じによる用紙束の綴じ方法の一例を示す図であって、用紙束を綴じた際の上金型と下金型の状態の断面図である。
【図３Ｃ】針無し綴じによる用紙束の綴じ方法の一例を示す図であって、図３Ｃは針無し綴じ部により綴じられた用紙束（印刷物）の断面図である。
【図４】針無し綴じにより綴じられた用紙束の一例を示す図である。
【図５Ａ】画像形成装置の操作部のタッチパネルに表示される用紙情報設定画面の一例を示す図である。
【図５Ｂ】画像形成装置の操作部のタッチパネルに表示される針無し綴じ可否情報設定画面の一例を示す図である。
【図６】画像形成装置の操作部のタッチパネルに表示される代替用紙設定画面の一例を示す図である。
【図７】画像形成装置のＨＤＤ内に保存されている用紙情報リストの一例を示す図である。
【図８】針無し綴じ不可時の代替用紙への置換方法を説明するための図である。
【図９】第１の実施形態における用紙種類の置換処理を示すフローチャートである。
【図１０】第２の実施形態に係る画像形成装置の操作部のタッチパネルに表示される針無し綴じ不可時用紙置換モード設定画面の一例を示す図である。
【図１１】第２の実施形態における針無し綴じ不可時の代替用紙への置換方法を説明するための図である。
【図１２】針無し綴じ不可時用紙置換モード設定画面で先頭ページの用紙に置換を行う設定がされた場合の置換処理を示すフローチャートである。
【図１３】針無し綴じ不可時用紙置換モード設定画面で前ページの用紙に置換を行う設定がされた場合の置換処理を示すフローチャートである。
【図１４】針無し綴じ不可時用紙置換モード設定画面で後ページの用紙に置換を行う設定がされた場合の置換処理を示すフローチャートである。
【図１５】第３の実施形態に係る画像形成装置の操作部のタッチパネルに表示される針無し綴じ不可時自動用紙種類置換設定画面の一例を示す図である。
【図１６】針無し綴じ不可時自動用紙種類置換設定画面で用紙種類の自動置換の実施有無を選択できる場合の置換処理を示すフローチャートである。
【図１７】第４の実施形態に係る画像形成装置の操作部のタッチパネルに表示される針無し綴じ不可用紙種類の普通紙での置換確認画面の一例を示す図である。
【図１８】針無し綴じ不可時に用紙種類の置換を行うかユーザに確認を行う場合の置換処理を示すフローチャートである。
【発明を実施するための形態】
【００１１】
以下、図面を参照して、本発明の実施形態の一例を説明する。
【００１２】
図１は、本発明の第１の実施形態に係る画像形成装置のハードウェア構成図である。
【００１３】
図１において、画像形成装置１０１は、コントローラ１０２、操作部１１０、スキャナ部１１２、給送された用紙に画像を印刷可能な印刷部１１４、および後処理部１１５から構成される。
【００１４】
コントローラ１０２は、ＣＰＵ１０３、ＲＡＭ１０４、ＲＯＭ１０５、ＨＤＤ１０６、ラスターイメージプロセッサ（ＲＩＰ）１０７、ネットワークＩ／Ｆ１０８、操作部Ｉ／Ｆ１０９、スキャナ部Ｉ／Ｆ１１１、印刷部Ｉ／Ｆ１１３、画像処理部１１６を備える。これらはシステムバス１１８を介して互いに接続されている。
【００１５】
ＣＰＵ１０３は、上記構成要素を含むシステムバス１１８に接続される各種ユニットを統括的に制御することにより、コピー処理や印刷処理等を制御する。ＲＯＭ１０５には、ＣＰＵ１０３が各種処理の実行に必要な各種パラメータやプログラムが格納されている。ＲＡＭ１０４は、ＣＰＵ１０３の主メモリ、ワークエリア等として機能し、さらにスキャンや印刷等に必要な画像データのバッファ領域としても使用される。
【００１６】
ＨＤＤ１０６は、ネットワークＩ／Ｆ１０８を介して受信した画像データを一時的に格納したり、ＲＩＰ１０７や画像処理部１１６のスワップ領域として各モジュールからアクセスされる不揮発性のメモリである。
【００１７】
ＲＩＰ１０７は、ページ記述言語（ＰＤＬ）をラスターイメージデータに展開する機能を有する。
【００１８】
操作部Ｉ／Ｆ１０９は、操作部１１０に接続されており、当該操作部１１０で入力された情報をシステムバス１１８を介してＣＰＵ１０３に通知したり、ＣＰＵ１０３から操作部１１０へ送信される表示情報を制御するインターフェース（Ｉ／Ｆ）である。
【００１９】
スキャナ部Ｉ／Ｆ１１１は、スキャナ部１１２に接続されており、当該スキャナ部１１２に対する制御コマンドの送受信やスキャナ部１１２で光学的にスキャンされた画像データの受信の制御を行うＩ／Ｆである。
【００２０】
印刷部Ｉ／Ｆ１１３は、印刷部１１４と、印刷部１１４を介して後処理部１１５に接続されており、当該印刷部１１４及び後処理部１１５を制御するＩ／Ｆである。例えば、印刷部Ｉ／Ｆ１１３は、印刷部１１４及び後処理部１１５に対する制御コマンドの送受信や印刷部１１４で印刷される印刷データの送信等の制御を行う。なお、本実施形態における印刷データには印刷ジョブも含まれるものとする。
【００２１】
画像処理部１１６は、スキャナ部１１２でスキャンされた画像データやネットワークＩ／Ｆ１０８を介して外部から受信した画像データに対して、変倍、回転、色変換、スムージング等の画像処理を行う。
【００２２】
操作部１１０は、ハードキーとタッチパネルで構成され、表示機能及び操作機能を実現する。
【００２３】
後処理部１１５は、印刷部１１４で印刷された後に排紙された用紙束に対して、ステイプル処理、針無し綴じ、パンチ、中とじ等の後処理を行う。用紙には、普通紙、薄紙、片面コート紙、ＯＨＰフィルム、再生紙、インデクス紙、両面コート紙等、複数種類の用紙が含まれる。
【００２４】
図２は、図１の画像形成装置１０１のソフトウェア構成図である。なお、図示の２０１〜２０７はＲＯＭ１０５に保存され、ＲＡＭ１０４にロードされ、ＣＰＵ１０３によって実行されるプログラムモジュールを表す。
【００２５】
通信部２０１は、印刷データの送受信を制御する機能を有する。
【００２６】
ＰＤＬ処理部２０２は、ページ記述言語（ＰＤＬ）で表現された印刷データを解析し、印刷データ全体及びページ毎に設定された用紙サイズ、用紙種類、針無し綴じ等の用紙処理等の印刷設定を取得する。そして、ＰＤＬ処理部２０２は、印刷設定に針無し綴じが設定され、かつ針無し綴じ不可と判断された用紙設定のページ（特定のページ）が存在する場合、当該ページに設定された用紙種類を、針無し綴じが可能な用紙種類に置換する。
【００２７】
ＰＤＬ処理部２０２が解析した情報を元に、ＲＩＰ１０７がラスターイメージデータを展開し、プリント制御部２０６が印刷部１１４及び後処理部１１５を制御することによって指示通りの印刷物が作成される。
【００２８】
用紙情報管理部２０３は、ＨＤＤ１０６に保存された用紙情報リストの管理を行う機能を有する。用紙情報リストおよび用紙情報リストに登録される用紙情報の詳細については後述する。
【００２９】
針無し綴じ可否判定部２０４は、用紙情報管理部２０３に用紙情報を問い合わせ、その用紙種類が針無し綴じ可能か否かを判定する機能を有する。本実施形態では、凸刃と凹刃を用いて用紙束の厚さ方向から加圧して圧着して綴じる方式の針無し綴じであるため、用紙の枚数、坪量、表面性が制限される。例えば、用紙束に表面が滑らかなＯＰＨフィルムやコート紙等が含まれている場合、針無し綴じで綴じると用紙同士の圧着力が弱くなり、はがれやすくなる。そこで、針無し綴じ可否判定部２０４が、用紙束に含まれる用紙の用紙情報に基づいて針無し綴じが可能か否かを判定する。
【００３０】
リーダ制御部２０５は、スキャナ部Ｉ／Ｆ１１１、スキャナ部１１２を制御する機能を有する。
【００３１】
プリント制御部２０６は、印刷部Ｉ／Ｆ１１３、印刷部１１４、および後処理部１１５を制御する機能を有する。
【００３２】
操作部制御部２０７は、操作部Ｉ／Ｆ１０９、操作部１１０を制御する機能を有する。例えば、操作部制御部２０７は、操作部１１０からの入力を受け付けることにより、画像形成装置１０１への動作指示及び動作モード変更指示等を受け付ける。また、操作部制御部２０７は、画像形成装置１０１の状態や、用紙情報リストに登録されている用紙情報等をタッチパネルに表示する機能を有する。
【００３３】
次に、図１における後処理部１１５の針無し綴じによる用紙束の綴じ方法について図３Ａ〜図３Ｃを参照して説明する。本実施形態では、向かい合わせにセットされた凸刃と凹刃を用いて用紙束の厚さ方向から加圧して用紙束を圧着して綴じる前述の方式の針無し綴じの例を説明する。
【００３４】
図３Ａは、用紙束を綴じる前の上金型と下金型の状態を用紙束の側面から見た断面図である。
【００３５】
上金型３０１は、用紙束３０５を上部から押さえつけて圧力をかけるための金型である。上金型３０１には、複数の凸部（凸刃）３０２が付いており、これらの凸部３０２により用紙面の複数個所を加圧することで容易にはがれないように用紙束３０５を圧着する。
【００３６】
下金型３０３は、用紙束３０５を下部から押さえつけて圧力をかけるための金型である。下金型３０３には、上金型の凸部３０２に対応する凹部（凹刃）３０４が付いている。これら複数の凹部３０４により上金型３０１の凸部３０２を受けるようになっている。
【００３７】
図３Ｂのように、上金型３０１と下金型３０３で用紙束３０５を上下から加圧することで、用紙束３０５を綴じる。綴じた後の用紙束３０５の断面を図３Ｃに示す。また、綴じた用紙束３０５を用紙面上から見ると図４のようになり、用紙面上の所定の位置に綴じ部４０１が生成される。
【００３８】
次に、用紙情報リストに登録される用紙情報について説明する。なお、以下に説明する用紙情報の各パラメータはユーザによって操作部１１０から入力される。
【００３９】
図５Ａ，５Ｂは、画像形成装置１０１の操作部１１０のタッチパネルに表示される設定画面の一例を示す図であり、図５Ａは用紙情報設定画面、図５Ｂは針無し綴じ可否情報設定画面である。
【００４０】
図５Ａにおいて、用紙情報設定画面５０１は、ＨＤＤ１０６に保存されている用紙情報リストに用紙情報を登録するための画面である。基本的な用紙情報については、予め画像形成装置１０１のＨＤＤ１０６に保存され、用紙情報管理部２０３によって管理されているが、用紙情報設定画面５０１からユーザが新規に用紙情報を追加することも可能である。
【００４１】
用紙情報設定画面５０１において、名称５０２は、用紙情報リスト７０１に登録する用紙名称である。坪量５０３は、用紙情報リスト７０１に登録する用紙の坪量である。表面性５０４は、用紙情報リスト７０１に登録する用紙の表面性である。表面性とは、用紙の種類によって用いられる繊維の種類や表面形状が異なることによって生じる用紙表面の特徴である。例えば、上質紙、片面コート、ＯＨＰフィルム等が設定できる。
【００４２】
色５０５は、用紙情報リスト７０１に登録する用紙の色である。クリープ補正量５０６は、用紙情報リスト７０１に登録する用紙のクリープ補正量である。クリープ補正量とは、製本時に起きる外側と内側の画像位置のずれの補正量である。
【００４３】
針無し綴じ５０７は、用紙情報リスト７０１に登録する用紙が針無し綴じ可か、不可かを示す。針無し綴じは、上述したように加圧式であるため、用紙の表面性、坪量、枚数によっては綴じ処理に失敗する場合がある。例えば、滑らかな表面形状であるコート紙やＯＨＰフィルム、坪量の大きい用紙は、上述した針無し綴じには適さない。針無し綴じに適さない用紙を用紙情報リスト７０１に登録する場合は、針無し綴じ５０７に不可を設定する。
【００４４】
名称５０２〜針無し綴じ５０７の各項目に対応する編集キー５０８のいずれかが選択された場合、当該項目を設定するための専用画面が表示される。例えば、針無し綴じ５０７の編集キー５０８が選択されると、図５Ｂに示す針無し綴じ可否設定画面５１１が表示される。
【００４５】
用紙情報設定画面５０１において、キャンセルキー５０９が選択された場合、当該画面を介してなされた設定を無効にして用紙情報設定画面５０１を閉じる。一方、ＯＫキー５１０が選択された場合、当該画面を介して設定された用紙情報をＨＤＤ１０６に保存された用紙情報リスト７０１に保存して用紙情報設定画面５０１を閉じる。
【００４６】
図５Ｂにおいて、針無し綴じ可否設定画面５１１は、用紙情報設定画面５０１で登録する用紙毎に針無し綴じ可または不可を設定するための画面である。
【００４７】
針無し綴じ可否設定画面５１１において、可キー５１２が選択された場合、用紙情報リスト７０１に登録する用紙情報に対して針無し綴じ可が設定され、針無し綴じ５０７には可と表示される。不可キー５１３が選択された場合、用紙情報リスト７０１に登録する用紙情報に対して針無し綴じ不可が設定され、針無し綴じ５０７には不可と表示される。さらに、キャンセルキー５１４が選択された場合、針無し綴じ可否設定画面５１１で設定された設定を無効にして用紙情報設定画面５０１を閉じる。ＯＫキー５１５が選択された場合、針無し綴じ可否設定画面５１１で設定された針無し綴じ可または不可を用紙情報設定画面５０１の針無し綴じ５０７の表示に反映して用紙情報設定画面５０１を閉じる。
【００４８】
図６は、画像形成装置１０１の操作部１１０のタッチパネルに表示される代替用紙設定画面の一例を示す図である。
【００４９】
針無し綴じ不可時の代替用紙設定画面６０１は、印刷データに設定された用紙設定に針無し綴じ不可用紙が含まれていた場合に使用する代替用紙を設定するための画面である。
【００５０】
候補用紙リスト６０２は、ＨＤＤ１０６に予め保存された用紙情報リストの用紙名称（用紙情報設定画面５０１で設定された用紙名称を含む）と、各用紙名称（用紙種類毎）に設定された針無し綴じ可否情報とを一覧にしたリストである。
【００５１】
候補用紙リスト６０２において、用紙情報設定画面５０１の針無し綴じ５０７に可と設定された用紙の行は選択可であるが、針無し綴じ５０７に不可と設定した用紙の行はグレーアウトされ選択不可となる。例えば、枠６０３は、候補用紙リスト６０２中の一行が選択されたことを表す。
【００５２】
印刷データに針無し綴じが設定され、かつ針無し綴じ不可と判断された用紙設定のページが存在する場合、ＰＤＬ処理部２０２は、当該ページに設定された用紙種類を、枠６０３内に表示されている用紙種類に置換する。
【００５３】
針無し綴じ不可時の代替用紙設定画面６０１において、ＯＫキー６０４が選択された場合、当該画面で選択された用紙が針無し綴じ不可時の代替用紙として画像形成装置１０１のＨＤＤ１０６に保存される。
【００５４】
図７は、画像形成装置１０１のＨＤＤ１０６に保存されている用紙情報リストの一例を示す図である。
【００５５】
用紙情報リスト７０１には、用紙情報設定画面５０１、針無し綴じ可否設定画面５１１で設定された用紙情報が登録されている。用紙情報リスト７０１は用紙情報管理部２０３によって管理されている。用紙情報リスト７０１の内容は、操作部１１０に表示される編集画面（不図示）にて編集することが可能である。
【００５６】
また、用紙情報リスト７０１には、基本的な用紙情報が予め登録されており、後からユーザが独自の用紙情報を追加することも可能である。コントローラ１０２は、用紙情報リスト７０１に登録された用紙情報を使用して印刷データに対する最適なプリント処理を印刷部１１４に実行させる。
【００５７】
名称７０２は、用紙の名称である。なお、普通紙やＯＨＰフィルムなどの一般的な名称は予め登録されているものとする。また、ユーザが用紙情報設定画面５０１を用いて後から登録する用紙の名称は、用紙情報リスト７０１上で重複しない名称であればどのような名称でもかまわない。
【００５８】
坪量７０３は用紙の坪量である。名称７０２の用紙に対して、用紙情報設定画面５０１上の坪量５０３で設定された値が登録される。
【００５９】
表面性７０４は用紙の表面性である。名称７０２の用紙に対して、用紙情報設定画面５０１上の表面性５０４で設定された値が登録される。
【００６０】
色７０５は用紙の色を表す。名称７０２の用紙に対して、用紙情報設定画面５０１上の色５０５で設定された値が登録される。
【００６１】
クリープ補正７０６は用紙を製本した場合のクリープ補正量を表す。名称７０２の用紙に対して、用紙情報設定画面５０１上のクリープ補正量５０６で設定された値が登録される。
【００６２】
針無し綴じ７０７は用紙に対して針無し綴じが可能かまたは不可であることを表す。名称７０２の用紙に対して、用紙情報設定画面５０１上の針無し綴じ５０７で設定された値が登録される。針無し綴じ可否判定部２０４は、用紙情報管理部２０３を介して用紙情報リスト７０１中の針無し綴じ７０７を参照し、設定された用紙の針無し綴じ可否を判定する。
【００６３】
針無し綴じ不可時の代替用紙設定７０８は、印刷データに針無し綴じが設定され、かつ針無し綴じ不可の用紙が設定されたページが存在する場合に、名称７０２の用紙を代替として使用するための設定である。針無し綴じ不可時の代替用紙設定７０８は、針無し綴じ不可時の代替用紙設定画面６０１で選択された用紙に設定される。
【００６４】
本第１の実施形態では、針無し綴じが設定され、かつ針無し綴じ不可の用紙が設定されたページが含まれている場合、当該ページの用紙種類が、用紙情報リスト７０１中の針無し綴じ不可時の代替用紙設定７０８の用紙種類に置換される。
【００６５】
図８は、上述した針無し綴じ不可時の代替用紙への置換方法を説明するための図である。
【００６６】
図示例では、Ｐ１〜Ｐ５の５ページ分の印刷データの各ページの用紙種類が、再生紙、普通紙、ＯＰＨフィルム、ＯＰＨフィルム、薄紙と設定されている。なお、ページ数や用紙種類については、図示例に限定されるものではない。
【００６７】
図８の各ページの下に記載された針無し綴じ可否８０１〜８０５は、針無し綴じ可否判定部２０４が各ページに設定された用紙種類に対して針無し綴じの可否を判定した結果である。各用紙に対する針無し綴じの可否判定は、用紙情報リスト７０１に登録された用紙情報に基づいて実施される。本実施形態では、ＯＨＰフィルムの針無し綴じ７０７には不可、再生紙、普通紙、薄紙の針無し綴じ７０７には可が登録されているものとするが、もちろん異なる設定であってもかまわない。
【００６８】
図８において、ＯＨＰフィルムが設定されたＰ３，Ｐ４が針無し綴じ可否判定部２０４により針無し綴じ不可と判定された場合に置換処理が実施される（点線８０６で囲んで示す）。ＰＤＬ処理部２０２は、印刷データに設定された用紙種類を取得し、その用紙種類の針無し綴じ可否を針無し綴じ可否判定部２０４に問い合わせる。針無し綴じ可否判定部２０４の判断結果が針無し綴じ不可であった場合、用紙情報管理部２０３を介して用紙情報リスト７０１中から針無し綴じ不可時の代替用紙設定７０８に設定された用紙種類を取得する。そして、印刷データに設定されていた用紙種類が、針無し綴じ不可時の代替用紙設定７０８に設定された用紙種類に置換される。本実施形態では、用紙情報リスト７０１中の針無し綴じ不可時の代替用紙設定７０８に普通紙が設定されていることから、印刷データに設定されていた用紙種類ＯＨＰフィルムが普通紙に置換される。
【００６９】
上記用紙種類の置換処理が実行された後、プリント制御部２０６は、ＲＩＰ１０７による画像生成後、印刷部１１４に１ページ目は再生紙、２ページ目〜４ページ目は普通紙、５ページ目は薄紙に対して印刷を行うように指示を出す。この結果、後処理部１１５での針無し綴じ処理は全て加圧式の針無し綴じが可能な用紙に対して実施されるので、針無し綴じの失敗を防止することができる。
【００７０】
図９は、図８で説明した用紙種類の置換処理を示すフローチャートである。図中のＳ９０２〜Ｓ９０８は処理の各ステップを表す。本処理は、ＨＤＤ１０６からＲＡＭ１０４にロードされた制御プログラムをＣＰＵ１０３が実行することにより実現される。なお、図示のＳ９０３〜Ｓ９０６は、印刷データのページ毎に実施されるループ処理であり、当該ループ処理が先頭ページから順に全てのページに対して行われる。
【００７１】
Ｓ９０２では、ＰＤＬ処理部２０２は、印刷データの印刷設定から針無し綴じ設定の有無を判定する。針無し綴じ設定ありの場合はＳ９０３に進む。一方、針無し綴じ設定なしの場合は本処理を終了するが、その後、印刷データの印刷設定に基づく印刷処理および後処理が実行される。
【００７２】
Ｓ９０３では、ＰＤＬ処理部２０２は、印刷データの対象ページに設定された用紙種類を取得し、その用紙種類の針無し綴じ可否を針無し綴じ可否判定部２０４に問い合わせる。
【００７３】
Ｓ９０４では、針無し綴じ可否判定部２０４は、用紙情報管理部２０３を介して用紙情報リスト７０１を参照し、Ｓ９０３で取得した用紙種類が針無し綴じ不可であるかを判定する。Ｓ９０３で取得した用紙種類が針無し綴じ不可であった場合はＳ９０５へ進む。一方、Ｓ９０３で取得した用紙種類が針無し綴じ可であった場合はＳ９０６へ進む。
【００７４】
Ｓ９０５では、ＰＤＬ処理部２０２は、用紙情報リスト７０１中の針無し綴じ時の代替用紙設定７０８に設定された用紙種類を取得し、Ｓ９０４で針無し綴じ不可と判定された用紙種類を置換する。
【００７５】
Ｓ９０６では、ＰＤＬ処理部２０２は、印刷データの全ページに対する処理を終了したか否かを判定し、終了していない場合にはＳ９０３に戻る。一方、終了している場合にはＳ９０７へ進む。
【００７６】
Ｓ９０７では、プリント制御部２０６は、ＲＩＰ１０７により生成された印刷データの印刷指示を印刷部１１４に出す。印刷部１１４が使用する用紙にはＳ９０５で置換された結果の用紙種類が反映される。
【００７７】
Ｓ９０８では、後処理部１１５がプリント制御部２０６の指示によりＳ９０７で印刷された用紙束に対して後処理を実施する。例えば、印刷データに針無し綴じ設定がされている場合は、針無し綴じ処理が実施される。針無し綴じ可否判定部２０４によって針無し綴じ不可と判定された用紙は、Ｓ９０５の置換処理によって全て針無し綴じ可能な用紙種類に置換されている。そのため、後処理部１１５は、針無し綴じの失敗を防止し、ユーザの希望に近い印刷物を提供することができる。
【００７８】
次に、本発明の第２の実施形態を説明する。第２の実施形態では、針無し綴じ設定がされ、かつ針無し綴じ不可の用紙が設定されたページが含まれる場合、当該ページに設定された用紙種類が、印刷データの先頭ページまたは前ページまたは後ページに設定された用紙種類に置換される。
【００７９】
図１０は、画像形成装置１０１の操作部１１０のタッチパネルに表示される針無し綴じ不可時用紙置換モード設定画面の一例を示す図である。
【００８０】
図１０に示す設定画面において、先頭ページで置換キー１００２が選択された場合、針無し綴じ可否判定部２０４により針無し綴じ不可と判定された用紙の種類が先頭ページの用紙種類に置換される。
【００８１】
一方、前ページで置換キー１００３が選択された場合、針無し綴じ可否判定部２０４により針無し綴じ不可と判定された用紙の種類が前ページの用紙種類に置換される。
【００８２】
他方、後ページで置換キー１００４が選択された場合、針無し綴じ可否判定部２０４により針無し綴じ不可と判定された用紙の種類が後ページの用紙種類に置換される。
【００８３】
置換キー１００２〜１００４のいずれかが選択された後にＯＫキー１００６が選択された場合、針無し綴じ不可時用紙置換モード設定画面１００１上で設定された用紙置換モードを画像形成装置１０１のＨＤＤ１０６に保存して針無し綴じ不可時用紙置換モード設定画面１００１を閉じる。一方、キャンセルキー１００５が選択された場合、針無し綴じ不可時用紙置換モード設定画面１００１上で設定された用紙置換モードを無効にして針無し綴じ不可時用紙置換モード設定画面１００１を閉じる。
【００８４】
図１１は、第２の実施形態における針無し綴じ不可時の代替用紙への置換方法の概略を示す図である。
【００８５】
図示例では、Ｐ１〜Ｐ５の５ページ分の印刷データの各ページの用紙種類が、再生紙、普通紙、ＯＨＰフィルム、薄紙、薄紙と設定されている。なお、ページ数や用紙種類については、図示例に限定されるものではない。
【００８６】
図１１の各ページの下の記載された針無し綴じ可否１１０１〜１１０５は、針無し綴じ可否判定部２０４が各ページに設定された用紙種類に対して針無し綴じの可否を判定した結果である。各用紙に対する針無し綴じ可否判定は、用紙情報リスト７０１に登録された用紙情報に基づいて実施される。本実施形態では、ＯＨＰフィルムの針無し綴じ７０７には不可、再生紙、普通紙、薄紙の針無し綴じ７０７には可が設定されているものとするが、もちろん異なる設定であってもかまわない。
【００８７】
図１１において、ＯＨＰフィルムが設定されたＰ３が針無し綴じ可否判定部２０４により針無し綴じ不可と判定された場合に置換処理が実施される。例えば、針無し綴じ不可時用紙置換モード設定画面１００１で先頭ページの用紙種類に置換を行う設定がされた場合、Ｐ３のＯＨＰフィルムが、先頭ページに設定された再生紙に置換される（矢印１１０６で示す）。なお、先頭ページに設定された用紙が針無し綴じ不可と判定された用紙である場合、用紙情報リスト７０１内の針無し綴じ不可時の代替用紙設定７０８に設定された用紙種類に置換される。
【００８８】
また、針無し綴じ不可時用紙置換モード設定画面１００１で前ページの用紙種類に置換を行う設定がされた場合、Ｐ３のＯＨＰフィルムが、Ｐ３の直前のページに設定された普通紙に置換される（矢印１１０７で示す）。なお、前ページの存在しない印刷データの先頭ページに針無し綴じ不可の用紙設定がされていた場合、用紙情報リスト７０１中の針無し綴じ不可時の代替用紙設定７０８に設定された用紙種類に置換される。
【００８９】
また、針無し綴じ不可時用紙置換モード設定画面１００１で後ページの用紙種類に置換を行う設定がされた場合、Ｐ３のＯＨＰフィルムが、Ｐ３の直後のページに設定された薄紙に置換される（矢印１１０８で示す）。なお、後ページの存在しない印刷データの最終ページに針無し綴じ不可の用紙が設定されていた場合、用紙情報リスト７０１中の針無し綴じ時の代替用紙設定７０８に設定された用紙種類に置換される。
【００９０】
次に、図１１で説明した用紙種類の置換方法に基づく置換処理を図１２〜図１４を参照して説明する。
【００９１】
図１２は、針無し綴じ不可時用紙置換モード設定画面１００１で先頭ページの用紙種類に置換を行う設定がされた場合の置換処理を示すフローチャートである。図中のＳ１２０２〜Ｓ１２１０は処理の各ステップを表す。本処理は、ＨＤＤ１０６からＲＡＭ１０４にロードされた制御プログラムをＣＰＵ１０３が実行することにより実現される。なお、図示のＳ１２０３〜Ｓ１２０８は、印刷データのページ毎に実施されるループ処理であり、当該ループ処理が先頭ページから順に全てのページに対して行われる。
【００９２】
Ｓ１２０２では、ＰＤＬ処理部２０２は、印刷データの印刷設定から針無し綴じ設定の有無を判定する。針無し綴じ設定ありの場合はＳ１２０３に進む。一方、針無し綴じ設定なしの場合は本処理を終了するが、その後、印刷データの印刷設定に基づく印刷処理および後処理が実行される。
【００９３】
Ｓ１２０３では、ＰＤＬ処理部２０２は、印刷データの対象ページに設定された用紙種類を取得し、その用紙種類の針無し綴じ可否を針無し綴じ可否判定部２０４に問い合わせる。
【００９４】
Ｓ１２０４では、針無し綴じ可否判定部２０４は、用紙情報管理部２０３を介して用紙情報リスト７０１を参照し、Ｓ１２０３で取得した用紙種類が針無し綴じ不可であるかを判定する。Ｓ１２０３で取得した用紙種類が針無し綴じ不可であった場合はＳ１２０５へ進む。一方、Ｓ１２０３で取得した用紙種類が針無し綴じ可であった場合はＳ１２０８へ進む。
【００９５】
Ｓ１２０５では、ＰＤＬ処理部２０２は、対象ページが印刷データの先頭ページであるかを判定する。先頭ページである場合はＳ１２０６に進む。一方、先頭ページではない場合はＳ１２０７に進む。本処理は、針無し綴じ不可の用紙種類を先頭ページの用紙種類に置換する処理なので、先頭ページには必ず針無し綴じが可能な用紙種類を用いなければならない。そのため、先頭ページと２ページ目以降では異なる処理が必要となる。
【００９６】
Ｓ１２０６では、ＰＤＬ処理部２０２は、用紙情報リスト７０１から針無し綴じ時の代替用紙設定７０８の用紙種類を取得し、Ｓ１２０４で針無し綴じ不可と判定された先頭ページに設定されている用紙種類を、取得した用紙種類に置換する。
【００９７】
Ｓ１２０７では、ＰＤＬ処理部２０２は、Ｓ１２０４で針無し綴じ不可と判定された用紙種類を先頭ページの用紙種類で置換する。印刷データの先頭ページは、必要であれば、Ｓ１２０６で針無し綴じが可能な用紙種類に置換されるので、Ｓ１２０７で用紙種類が置換されるページは、必ず針無し綴じ可の用紙種類に置換される。
【００９８】
Ｓ１２０８では、ＰＤＬ処理部２０２は、印刷データの全ページに対する処理を終了したか否かを判定し、終了していない場合にはＳ１２０３に戻る。一方、終了している場合にはＳ１２０９へ進む。
【００９９】
Ｓ１２０９では、プリント制御部２０６は、ＲＩＰ１０７により生成された印刷データの印刷指示を印刷部１１４に出す。印刷部１１４が使用する用紙にはＳ１２０６またはＳ１２０７で置換された結果の用紙種類が反映される。
【０１００】
Ｓ１２１０では、後処理部１１５がプリント制御部２０６の指示によりＳ１２０９で印刷された用紙束に対して後処理を実施する。例えば、印刷データに針無し綴じ設定がされている場合は、針無し綴じ処理が実施される。針無し綴じ可否判定部２０４によって針無し綴じ不可と判定された用紙は、Ｓ１２０６またはＳ１２０７の置換処理によって全て針無し綴じが可能な用紙種類に置換されている。そのため、後処理部１１５は、針無し綴じの失敗を防止し、ユーザの希望に近い印刷物を提供することができる。
【０１０１】
図１３は、針無し綴じ不可時用紙置換モード設定画面１００１で前ページの用紙に置換を行う設定がされた場合の置換処理を示すフローチャートである。図中のＳ１３０２〜Ｓ１３１０は処理の各ステップを表す。本処理は、ＨＤＤ１０６からＲＡＭ１０４にロードされた制御プログラムをＣＰＵ１０３が実行することにより実現される。なお、図示のＳ１３０３〜１３０８は、印刷データのページ毎に実施されるループ処理であり、当該ループ処理が先頭ページから順に全てのページに対して行われる。
【０１０２】
Ｓ１３０２では、ＰＤＬ処理部２０２は、印刷データの印刷設定から針無し綴じ設定の有無を判定する。針無し綴じ設定ありの場合はＳ１３０３に進む。一方、針無し綴じ設定なしの場合は本処理を終了するが、その後、印刷データの印刷設定に基づく印刷処理および後処理が実行される。
【０１０３】
Ｓ１３０３では、ＰＤＬ処理部２０２は、印刷データの対象ページに設定された用紙種類を取得し、その用紙種類の針無し綴じ可否を針無し綴じ可否判定部２０４に問い合わせる。
【０１０４】
Ｓ１３０４では、針無し綴じ可否判定部２０４は、用紙情報管理部２０３を介して用紙情報リスト７０１を参照し、Ｓ１３０３で取得した用紙種類が針無し綴じ不可であるかを判定する。Ｓ１３０３で取得した用紙種類が針無し綴じ不可である場合はＳ１３０５に進む。一方、Ｓ１３０３で取得した用紙種類が針無し綴じ可であった場合はＳ１３０８へ進む。
【０１０５】
Ｓ１３０５では、ＰＤＬ処理部２０２は、対象ページが印刷データの先頭ページであるかを判定する。先頭ページである場合はＳ１３０６に進む。一方、先頭ページではない場合はＳ１３０７に進む。本処理は、針無し綴じ不可の用紙種類を前ページの用紙種類に置換する処理なので、対象ページが先頭ページの場合には前ページに相当するページが存在しない。そのため、先頭ページと２ページ目以降では異なる処理が必要となる。
【０１０６】
Ｓ１３０６では、ＰＤＬ処理部２０２は、用紙情報リスト７０１中の針無し綴じ不可時の代替用紙設定７０８に設定された用紙種類を取得し、先頭ページに設定された用紙種類を、取得した用紙種類に置換する。
【０１０７】
Ｓ１３０７では、ＰＤＬ処理部２０２は、Ｓ１３０４で針無し綴じ不可と判定された用紙種類を前ページの用紙種類で置換する。基準となる印刷データの先頭ページは、必要であれば、Ｓ１３０６で針無し綴じが可能な用紙種類に置換されるので、Ｓ１３０７で用紙種類が置換されるページは、必ず針無し綴じ可の用紙種類に置換される。
【０１０８】
Ｓ１３０８では、ＰＤＬ処理部２０２は、印刷データの全ページに対する処理を終了したか否かを判定し、終了していない場合にはＳ１３０３に戻る。一方、終了している場合にはＳ１３０９へ進む。
【０１０９】
Ｓ１３０９では、プリント制御部２０６は、ＲＩＰ１０７により生成された印刷データの印刷指示を印刷部１１４に出す。印刷部１１４が使用する用紙にはＳ１３０６またはＳ１３０７で置換された用紙種類が反映される。
【０１１０】
Ｓ１３１０では、後処理部１１５がプリント制御部２０６の指示によりＳ１３０９で印刷された用紙束に対して後処理を実施する。例えば、印刷データに針無し綴じ設定がされている場合は、針無し綴じ処理が実施される。針無し綴じ可否判定部２０４によって針無し綴じ不可と判定された用紙は、Ｓ１３０６またはＳ１３０７の置換処理によって全て針無し綴じが可能な用紙種類に置換されている。そのため、後処理部１１５は、針無し綴じの失敗を防止し、ユーザの希望に近い印刷物を提供することができる。
【０１１１】
図１４は、針無し綴じ不可時用紙置換モード設定画面１００１で後ページの用紙に置換を行う設定がされた場合の置換処理を示すフローチャートである。図中のＳ１４０２〜Ｓ１４１０は処理の各ステップを表す。本処理は、ＨＤＤ１０６からＲＡＭ１０４にロードされた制御プログラムをＣＰＵ１０３が実行することにより実現される。なお、図中のＳ１４０３〜１４０８は、印刷データのページ毎に実施されるループ処理である。特に、当該ループ処理では、図１０、図１２および図１３に示す処理と、印刷データの最終ページから順に全てのページに対して行われる点が異なる。
【０１１２】
Ｓ１４０２では、ＰＤＬ処理部２０２は、印刷データの印刷設定から針無し綴じ設定の有無を判定する。針無し綴じ設定ありの場合はＳ１４０３に進む。一方、針無し綴じ設定なしの場合は本処理を終了するが、その後、印刷データの印刷設定に基づく印刷処理および後処理が実行される。
【０１１３】
Ｓ１４０３では、ＰＤＬ処理部２０２は、印刷データの対象ページに設定された用紙種類を取得し、その用紙種類の針無し綴じ可否を針無し綴じ可否判定部２０４に問い合わせる。
【０１１４】
Ｓ１４０４では、針無し綴じ可否判定部２０４は、用紙情報管理部２０３を介して用紙情報リスト７０１を参照し、Ｓ１４０３で取得した用紙種類が針無し綴じ不可であるかを判定する。Ｓ１４０３で取得した用紙種類が針無し綴じ不可である場合はＳ１４０５に進む。一方、Ｓ１４０３で取得した用紙種類が針無し綴じ可であった場合はＳ１４０８へ進む。
【０１１５】
Ｓ１４０５では、ＰＤＬ処理部２０２は、対象ページが印刷データの最終ページであるかを判定する。最終ページである場合はＳ１４０６に進む。一方、最終ページではない場合はＳ１４０７に進む。本処理は、針無し綴じ不可の用紙種類を次ページの用紙種類に置換する処理なので、対象ページが最終ページの場合には後ページが存在しない。そのため、最終ページと最終ページ以外のページでは異なる処理が必要となる。
【０１１６】
Ｓ１４０６では、ＰＤＬ処理部２０２は、用紙情報リスト７０１中の針無し綴じ時の代替用紙設定７０８に設定された用紙種類を取得し、最終ページに設定された用紙種類を、取得した用紙種類に置換する。
【０１１７】
Ｓ１４０７では、ＰＤＬ処理部２０２は、Ｓ１４０４で針無し綴じ不可と判定された用紙種類を後ページの用紙種類で置換する。印刷データの最終ページは、必要であれば、Ｓ１４０６で針無し綴じが可能な用紙種類に置換されるので、Ｓ１４０７で用紙種類が置換されるページは、必ず針無し綴じ可の用紙種類に置換される。なお、本処理では、最終ページから先頭ページに向けて順番に該当ページが処理されるので、例えば、対象ページがＰ３の場合、後ページはＰ４となる。
【０１１８】
Ｓ１４０８では、ＰＤＬ処理部２０２は、印刷データの全ページに対する処理を終了したか否かを判定し、終了していない場合にはＳ１４０３に戻る。一方、終了している場合にはＳ１４０９へ進む。
【０１１９】
Ｓ１４０９では、プリント制御部２０６は、ＲＩＰ１０７により生成された印刷データの印刷指示を印刷部１１４に出す。印刷部１１４が使用する用紙にはＳ１４０６またはＳ１４０７で置換された用紙種類が反映される。
【０１２０】
Ｓ１４１０では、後処理部１１５がプリント制御部２０６の指示によりＳ１４０９で印刷された用紙束に対して後処理を実施する。例えば、印刷データに針無し綴じ設定がされている場合は、針無し綴じ処理が実施される。針無し綴じ可否判定部２０４によって針無し綴じ不可と判定された用紙は、Ｓ１４０６またはＳ１４０７の置換処理によって全て針無し綴じが可能な用紙種類に置換されている。そのため、後処理部１１５は、針無し綴じの失敗を防止し、ユーザの希望に近い印刷物を提供することができる。
【０１２１】
次に、本発明の第３の実施形態を説明する。第３の実施形態では、ユーザによって針無し綴じ不可時の用紙種類自動置換設定画面１５０１で自動置換を行うことが選択されている状態で、針無し綴じが設定され、かつ針無し綴じ不可の用紙が設定されたページが含まれている印刷ジョブを受信した場合、当該ページの用紙種類を用紙情報リスト７０１中の針無し綴じ不可時の代替用紙設定７０８の用紙種類に置換される。
【０１２２】
図１５は、画像形成装置１０１の操作部１１０のタッチパネルに表示される針無し綴じ不可時の用紙種類自動置換設定画面１５０１の一例を示す図である。
【０１２３】
図１５に示す針無し綴じ不可時の用紙種類自動置換設定画面１５０１において、自動置換するキー１５０２が選択された場合、受信した印刷データ内に設定され針無し綴じ可否判定部２０４により針無し綴じ不可と判定される用紙種類を自動で用紙情報リスト７０１中の針無し綴じ時の代替用紙設定７０８に設定された用紙種類に置換する。
【０１２４】
一方、自動置換しないキー１５０３が選択された場合、針無し綴じ可否判定部２０４による針無し綴じ可否判定、及び用紙種類の置換処理を行わない。
【０１２５】
自動置換するキー１５０２、自動置換しないキー１５０３のいずれかが選択された後にＯＫキー１５０５が選択された場合、針無し綴じ不可時の用紙種類自動置換設定画面１５０１上で設定された用紙種類自動置換有無の情報を画像形成装置１０１のＨＤＤ１０６に保存して針無し綴じ不可時の用紙種類自動置換設定画面１５０１を閉じる。一方、キャンセルキー１５０４が選択された場合、針無し綴じ不可時の用紙種類自動置換設定画面１５０１上で設定された用紙種類自動置換有無の設定を無効にして針無し綴じ不可時の用紙種類自動置換設定画面１５０１を閉じる。
【０１２６】
図１６は、図１５で説明した用紙種類の自動置換有無を選択可能な場合における、用紙種類の自動置換処理を示すフローチャートである。図中のＳ１６０２〜Ｓ１６０９は処理の各ステップを表す。本処理は、ＨＤＤ１０６からＲＡＭ１０４にロードされた制御プログラムをＣＰＵ１０３が実行することにより実現される。なお、図示のＳ１６０４〜Ｓ１６０７は、印刷データのページ毎に実施されるループ処理であり、当該ループ処理が先頭ページから順に全てのページに対して行われる。
【０１２７】
Ｓ１６０２では、ＰＤＬ処理部２０２は、印刷データの印刷設定から針無し綴じ設定の有無を判定する。針無し綴じ設定有の場合はＳ１６０３に進む。一方、針無し綴じ設定なしの場合は本処理を終了するが、その後、印刷データの印刷設定に基づく印刷処理が実行される。この場合、少なくとも一部のページ対して指定されている用紙種類が針無し綴じ不可と判定されるものであったとしても、用紙種類の置換を行うことなく、指定されている用紙種類の用紙を用いた印刷処理が実行され、針無し綴じ処理が行われずに排出される。
【０１２８】
Ｓ１６０３では、ユーザが針無し綴じ不可時の用紙種類自動置換設定画面１５０１で用紙種類の自動置換を行う設定がされたか、否かの判定を行う。用紙種類の自動置換有設定がされていた場合はＳ１６０４に進む。一方、用紙種類の自動置換無設定がされていない場合は本処理を終了するが、その後印刷データの印刷設定に基づく印刷処理および後処理が実行される。
【０１２９】
Ｓ１６０４では、ＰＤＬ処理部２０２は、印刷データの対象ページに設定された用紙種類を取得し、その用紙種類の針無し綴じ可否を針無し綴じ可否判定部２０４に問い合わせる。
【０１３０】
Ｓ１６０５では、針無し綴じ可否判定部２０４は、用紙情報管理部２０３を介して用紙情報リスト７０１を参照し、Ｓ１６０４で取得した用紙種類が針無し綴じ不可であるかを判定する。Ｓ１６０４で取得した用紙種類が針無し綴じ不可であった場合はＳ１６０６へ進む。一方、Ｓ１６０４で取得した用紙種類が針無し綴じ可であった場合はＳ１６０７へ進む。
【０１３１】
Ｓ１６０６では、ＰＤＬ処理部２０２は、用紙情報リスト７０１中の針無し綴じ時の代替用紙設定７０８に設定された用紙種類を取得し、Ｓ１６０５で針無し綴じ不可と判定された用紙種類を置換する。
【０１３２】
Ｓ１６０７では、ＰＤＬ処理部２０２は、印刷データの全ページに対する処理を終了したか否かを判定し、終了していない場合にはＳ１６０４に戻る。一方、終了している場合にはＳ１６０８へ進む。
【０１３３】
Ｓ１６０８では、プリント制御部２０６は、ＲＩＰ１０７により生成された印刷データの印刷指示を印刷部１１４に出す。印刷部１１４が使用する用紙にはＳ１６０６で置換された結果の用紙種類が反映される。
【０１３４】
Ｓ１６０９では、後処理部１１５がプリント制御部２０６の指示によりＳ１６０８で印刷された用紙束に対して後処理を実施する。例えば、印刷データに針無し綴じ設定がされている場合は、針無し綴じ処理が実施される。この際、用紙種類の自動置換設定がされていた場合、針無し綴じ可否判定部２０４によって針無し綴じ不可と判定された用紙はＳ１６０６の置換処理によって全て針無し綴じ可能な用紙種類に置換されている。そのため、後処理部１１５は、針無し綴じの失敗を防止し、ユーザの希望に近い印刷物を提供することができる。
【０１３５】
次に、本発明の第４の実施形態を説明する。第４の実施形態では、針無し綴じが設定され、かつ針無し綴じ不可の用紙が設定されたページが含まれている印刷ジョブを受信した場合、針無し綴じ不可用紙種類の置換確認画面を表示し、ユーザに当該ページの用紙種類を、用紙情報リスト７０１中の針無し綴じ不可時の代替用紙設定７０８の用紙種類に置換するかを確認する。
【０１３６】
図１７は、第４の実施形態に係る画像形成装置１０１の操作部１１０のタッチパネルに表示される針無し綴じ不可用紙種類の置換確認画面１７０１の一例を示す図である。
【０１３７】
図１７に示す針無し綴じ不可用紙種類の置換確認画面１７０１は針無し綴じが設定され、かつ針無し綴じ不可の用紙が設定されたページを検出した時に表示される。
【０１３８】
置換するキー１７０２が選択された場合、針無し綴じ可否判定部２０４により針無し綴じ不可と判定された用紙の種類を用紙情報リスト７０１中の針無し綴じ時の代替用紙設定７０８に設定された用紙種類に置換する。一方、置換しないキー１７０３が選択された場合、用紙種類の置換処理を行わない。
【０１３９】
置換するキー１７０２、置換しないキー１７０３のいずれかが選択された後にＯＫキー１７０５が選択された場合、針無し綴じ可否判定部２０４により針無し綴じ不可と判定された用紙の種類を用紙情報リスト７０１中の針無し綴じ時の代替用紙設定７０８に設定された用紙種類に置換して、針無し綴じ不可用紙種類の置換確認画面１７０１を閉じる。一方、キャンセルキー１７０４が選択された場合、そのページの用紙種類は置換せず、針無し綴じ不可用紙種類の置換確認画面１７０１を閉じる。
【０１４０】
図１８は、針無し綴じが設定され、かつ針無し綴じ不可の用紙が設定されたページを検出した時に、図１７で説明した針無し綴じ不可用紙種類の置換確認画面１７０１によってユーザが用紙種類置換の実施を選択できる場合の置換処理のフローチャートである。図中のＳ１８０２〜Ｓ１８１０は処理の各ステップを表す。本処理は、ＨＤＤ１０６からＲＡＭ１０４にロードされた制御プログラムをＣＰＵ１０３が実行することにより実現される。なお、図示のＳ１８０３〜Ｓ１８０８は、印刷データのページ毎に実施されるループ処理であり、当該ループ処理が先頭ページから順に全てのページに対して行われる。
【０１４１】
Ｓ１８０２では、ＰＤＬ処理部２０２は、印刷データの印刷設定から針無し綴じ設定の有無を判定する。針なし綴じ設定有の場合はＳ１８０３に進む。一方、針無し綴じ設定なしの場合は本処理を終了するが、その後、印刷データの印刷設定に基づく印刷処理および後処理が実行される。
【０１４２】
Ｓ１８０３では、ＰＤＬ処理部２０２は、印刷データの対象ページに設定された用紙種類を取得し、その用紙種類の針無し綴じ可否を針無し綴じ可否判定部２０４に問い合わせる。
【０１４３】
Ｓ１８０４では、針無し綴じ可否判定部２０４は、用紙情報管理部２０３を介して用紙情報リスト７０１を参照し、Ｓ１８０３で取得した用紙種類が針無し綴じ不可であるかを判定する。Ｓ１８０３で取得した用紙種類が針無し綴じ不可であった場合はＳ１８０５へ進む。一方、Ｓ１８０３で取得した用紙種類が針無し綴じ可であった場合はＳ１８０８へ進む。
【０１４４】
Ｓ１８０５では、画像形成装置１０１の操作部１１０のタッチパネルに針無し綴じ不可用紙種類の置換確認画面１７０１を表示し、ユーザに当該ページの用紙種類の置換を行うか、または行わないかを選択させる。
【０１４５】
Ｓ１８０６では、Ｓ１８０５で表示した針無し綴じ不可用紙種類の置換確認画面１７０１において、ユーザが置換するキー１７０２を選択したかを判定する。置換するキー１７０２を選択した場合はＳ１８０７へ進む。一方、置換しないキー１７０３を選択した場合はＳ１８０８へ進む。
【０１４６】
Ｓ１８０７では、ＰＤＬ処理部２０２は、用紙情報リスト７０１中の針無し綴じ時の代替用紙設定７０８に設定された用紙種類を取得し、Ｓ１８０４で針無し綴じ不可と判定された用紙種類を置換する。
【０１４７】
Ｓ１８０８では、ＰＤＬ処理部２０２は、印刷データの全ページに対する処理を終了したか否かを判定し、終了していない場合にはＳ１８０３に戻る。一方、終了している場合にはＳ１８０９へ進む。
【０１４８】
Ｓ１８０９では、プリント制御部２０６は、ＲＩＰ１０７により生成された印刷データの印刷指示を印刷部１１４に出す。印刷部１１４が使用する用紙にはＳ１８０７で置換された結果の用紙種類が反映される。
【０１４９】
Ｓ１８１０では、後処理部１１５がプリント制御部２０６の指示によりＳ１８０９で印刷された用紙束に対して後処理を実施する。例えば、印刷データに針無し綴じ設定がされている場合は、針無し綴じ処理が実施される。この際、針無し綴じ可否判定部２０４によって針無し綴じ不可と判定された用紙に対してＳ１８０６でユーザが針無し綴じ不可用紙を針無し綴じ可能な用紙に置換する選択を行っていた場合、Ｓ１８０７の置換処理によって全て針無し綴じ可能な用紙種類に置換されている。そのため、後処理部１１５は、針無し綴じの失敗を防止し、ユーザの希望に近い印刷物を提供することができる。
【０１５０】
上記第１、第２、第３、および第４の実施形態では、後処理部１１５が画像形成装置１０１に内蔵される形態について説明したが、画像形成装置に着脱可能に構成された別体の後処理装置（シート処理装置）であってもよい。また、上記第２の実施形態では、図１２〜図１４に示す処理を分けて説明したが、同一の処理内で実行するように構成してもよい。
【０１５１】
また、本発明は、以下の処理を実行することによっても実現される。即ち、上述した実
施形態の機能を実現するソフトウェア（プログラム）を、ネットワーク又は各種記憶媒体
を介してシステム或いは装置に供給し、そのシステム或いは装置のコンピュータ（または
ＣＰＵやＭＰＵ等）がプログラムを読み出して実行する処理である。
【符号の説明】
【０１５２】
１０１  画像処理装置
１０３  ＣＰＵ
１１０  操作部
１１５  後処理部
２０１  通信部
２０２  ＰＤＬ処理部
２０３  用紙情報管理部
２０４  針無し綴じ可否判定部
２０５  リーダ制御部
２０６  プリント制御部
２０７  操作部制御部
【図１】
2016029461.tif 000003
【図２】
2016029461.tif 000004
【図３Ａ】
2016029461.tif 000005
【図３Ｂ】
2016029461.tif 000006
【図３Ｃ】
2016029461.tif 000007
【図４】
2016029461.tif 000008
【図５Ａ】
2016029461.tif 000009
【図５Ｂ】
2016029461.tif 000010
【図６】
2016029461.tif 000011
【図７】
2016029461.tif 000012
【図８】
2016029461.tif 000013
【図９】
2016029461.tif 000014
【図１０】
2016029461.tif 000015
【図１１】
2016029461.tif 000016
【図１２】
2016029461.tif 000017
【図１３】
2016029461.tif 000018
【図１４】
2016029461.tif 000019
【図１５】
2016029461.tif 000020
【図１６】
2016029461.tif 000021
【図１７】
2016029461.tif 000022
【図１８】
2016029461.tif 000023